(57)【要約】【課題】植栽される樹木の根元部分を保護することができるとともに、その樹木の周辺の景観などの環境を良好に整えることができ、かつ必要に応じて種々のバリエーションでその環境を変えることが可能な樹木保護装置を提供する。【解決手段】土壌に植栽された樹木１の根元の幹部分を囲むようにその土壌の上に設置される受枠３を備え、この受枠３の内側にそれぞれ樹木１の周辺の環境を整えるための複数の蓋ユニット１４ａ〜１４ｃが脱着可能にかつ平面的に並ぶように収容される。蓋ユニット１４ａ〜１４ｃとしては、外観が異なる複数種のものが用意され、その複数種のものから選択された一種または複数種の蓋ユニット１４ａ〜１４ｃが受枠３の内側に収容される。例えば蓋ユニット１４ａは、基台の上に化粧タイルや化粧ブロックなどの舗装材１８を取り付けて成るユニット構造に構成されている。【選択図】    図４
2008035810.tif 000002
【特許請求の範囲】
【請求項１】
土壌に植栽された樹木の根元の幹部分を囲むようにその土壌及び樹木の根鉢の上に設置される受枠を備え、この受枠の内側が桟材により複数の収容部に区画され、その収容部にそれぞれ樹木の周辺の環境を整えるための複数の蓋ユニットが脱着可能にかつ平面的に並ぶように収容されることを特徴とする樹木保護装置。
【請求項２】
土壌に植栽された樹木の根元の幹部分を囲むことが可能な枠状で、内側が桟材により複数の収容部に区画された受枠と、この受枠の各収容部に脱着可能にかつ平面的に並ぶように収容することが可能な、樹木の周辺の環境を整えるための複数の蓋ユニットとを具備し、
土壌に植栽された樹木の根元の幹部分を囲むようにその土壌及び樹木の根鉢の上に前記受枠を設置し、この受枠の内側の各収容部に前記蓋ユニットを脱着可能にかつ平面的に並ぶように収容して前記樹木の根元部分を覆うことを特徴とする樹木保護装置。
【請求項３】
前記受枠の外側周囲には、歩道面となる舗装材が敷き込められることを特徴とする請求項１又は２に記載の樹木保護装置。
【請求項４】
前記蓋ユニットとしては複数種のものが用意され、その複数種のものから選択された一種または複数種の蓋ユニットが前記受枠の内側に平面的に並ぶように収容されることを特徴とする請求項１又は２に記載の樹木保護装置。
【請求項５】
複数種の蓋ユニットのうちの少なくとも一種の蓋ユニットは、基台の上に化粧タイルや化粧ブロックなどの舗装材を取り付けて成るユニット構造に構成されていることを特徴とする請求項４に記載の樹木保護装置。
【請求項６】
複数種の蓋ユニットのうちの少なくとも一種の蓋ユニットは、ケース内に園芸土を収容し、その園芸土の表層部に芝や草花などの園芸植物を植え込んで成るユニット構造に構成されていることを特徴とする請求項４に記載の樹木保護装置。
【請求項７】
複数種の蓋ユニットのうちの少なくとも一種の蓋ユニットは、基台の上に化粧タイルや化粧ブロックなどの舗装材を取り付け、基台の下側にはライトアップ用の投光器を取り付け、前記舗装材には開口を形成し、この開口を通して前記投光器の投光部を前記舗装材の表面部に露出させて成るユニット構造に構成されていることを特徴とする請求項４に記載の樹木保護装置。
【請求項８】
前記複数の収容部の幾つかが、樹木保護装置の設置場所の維持管理に必要な各種設備機器を集約して収容するための基地スペースとして用いられることを特徴とする請求項１ないし７のいずれかに記載の樹木保護装置。
【発明の詳細な説明】
【技術分野】
【０００１】
この発明は、街路や公園内の歩道、あるいはビル周辺の敷地などに植栽される樹木の根元部分を保護する樹木保護装置に関する。
【背景技術】
【０００２】
一般に、街路や公園内の歩道、あるいはビル周辺の敷地などに樹木を植栽した際には、例えば特開平７−１２３８７３号公報や特開２００２−３０５９９３号公報などに見られるように、樹木の根元の幹部分を囲むように保護装置を設置して樹木を保護することが行なわれている。
【特許文献１】特開平７−１２３８７３号公報
【特許文献２】特開２００２−３０５９９３号公報
【発明の開示】
【発明が解決しようとする課題】
【０００３】
しかしながら、従来のこの種の保護装置は、円形や四角形の単なる平板の格子状に形成され、樹木の根元部分を覆って樹木を保護する機能しかなく、景観的に殺風景な感じがある。
【０００４】
近年、街路の歩道には、彩色された化粧タイルや化粧ブロックなどの舗装材を縦横に敷き込んで美装化することが多くなってきているが、このような美装歩道に樹木を植栽した際に、その樹木の根元部分に殺風景な保護装置を設置したのでは、歩道の美装化にマッチせず、その保護装置が周辺の景観を低下させてしまう恐れがある。
【０００５】
したがって、このような美装歩道に植栽される樹木の根元部分を覆う保護装置としては、その美装歩道の舗装材とマッチする景観や花壇風の景観、さらにはその景観を種々のバリエーションに変えることができるような機能をもつことが好ましい。
【０００６】
また、イベントが開催される歩道などにあっては、その歩道沿いの樹木をライトアップするような場合があるが、このような場合、従来ではその樹木の根元部分にライトアップ用の機器をその都度設置してライトアップするのが普通となっている。この場合、樹木の保護装置がライトアップ機能を有すれば、個々にライトアップ機器を設置するような面倒な手間や煩わしい作業を省くことができることになる。
【０００７】
この発明はこのような点に着眼してなされたもので、その目的とするところは、植栽される樹木の根元部分を保護することができるとともに、その樹木の周辺の景観などの環境を良好に整えることができ、かつ必要に応じて種々のバリエーションでその環境を変えることが可能な樹木保護装置を提供することにある。
【課題を解決するための手段】
【０００８】
この発明は、土壌に植栽された樹木の根元の幹部分を囲むようにその土壌の上に設置される受枠を備え、この受枠の内側が桟材により複数の収容部に区画され、その収容部にそれぞれ樹木の周辺の環境を整えるための複数の蓋ユニットが脱着可能にかつ平面的に並ぶように収容されることを特徴としている。
【０００９】
すなわち、土壌に植栽された樹木の根元の幹部分を囲むことが可能な枠状で、内側が桟材により複数の収容部に区画された受枠と、この受枠の各収容部に脱着可能にかつ平面的に並ぶように収容することが可能な、樹木の周辺の環境を整えるための複数の蓋ユニットとを具備し、土壌に植栽された樹木の根元の幹部分を囲むようにその土壌及び樹木の根鉢の上に前記受枠を設置し、この受枠の内側の各収容部に前記蓋ユニットを脱着可能にかつ平面的に並ぶように収容して前記樹木の根元部分を覆うことを特徴としている。そして、前記受枠の外側周囲に、歩道面となる舗装材を敷き込めることが可能である。
【００１０】
前記蓋ユニットとしては複数種のものが用意され、その複数種のものから選択された一種または複数種の蓋ユニットが前記受枠の内側に平面的に並ぶように収容される。
【００１１】
複数種の蓋ユニットのうちの少なくとも一種の蓋ユニットは、基台の上に化粧タイルや化粧ブロックなどの舗装材を取り付けて成るユニット構造に構成されている。
【００１２】
また、数種の蓋ユニットのうちの少なくとも一種の蓋ユニットは、ケース内に園芸土を収容し、その園芸土の表層部に芝や草花などの園芸植物を植え込んで成るユニット構造に構成されている。
【００１３】
さらに、複数種の蓋ユニットのうちの少なくとも一種の蓋ユニットは、基台の上に化粧タイルや化粧ブロックなどの舗装材を取り付け、基台の下側にはライトアップ用の投光器を取り付け、前記舗装材には開口を形成し、この開口を通して前記投光器の投光部を前記舗装材の表面部に露出させて成るユニット構造に構成されている。
【００１４】
そして、前記複数の収容部の幾つかは、前記受枠の設置場所の維持管理に必要な各種設備機器を集約して収容するための基地スペースとして用いることが可能としてある。
【発明の効果】
【００１５】
このような樹木保護装置においては、植栽される樹木の根元部分を、受枠の内側に収容する蓋ユニットで覆って保護することができるとともに、その樹木の周辺の景観などの環境をその蓋ユニットにより良好に整えることができる。そして、ユーザの好みや設置場所の使用用途に応じて受枠の内側に収容する蓋ユニットを外観の異なる他の蓋ユニットと交換することで種々のバリエーションで環境を変えることができる。また、歩道に設置した場合にはその歩道の幅員の確保にも役立つ。
【発明を実施するための最良の形態】
【００１６】
以下、この発明の一実施形態について図面を参照して説明する。
【００１７】
図１には、例えば美装歩道の土壌に植栽された樹木１を示してあり、この樹木１はその根鉢１ａが歩道の土壌中に埋め込まれ、この樹木１の根元の幹部分を囲むように歩道の土壌の上に保護装置２が設置されている。
【００１８】
保護装置２は、樹木１を囲む四角形の受枠３を備えており、この受枠３の構造を図２および図３に示してある。図２は受枠３の全体の平面図で、図３は図２中のＡ−Ａ線に沿う断面図である。
【００１９】
この受枠３は一定の高さを有する断面Ｌ状のアングル材で構成されている。すなわち、垂直に伸びる一定の高さの周壁部３ａと、この周壁部３ａの下端からその内側に水平に延びる受部３ｂとを有する断面Ｌ状をなしている。そしてこの受枠３の下端部にアンカー材４が取り付けられ、このアンカー材４が図１および図３に示すように土壌中の基礎５の上にアンカーボルト６を介して締結固定され、これにより受枠３が水平に支持されている。
【００２０】
受枠３の内側には、図２に示すように複数の桟材８ａ，８ｂ，９ａ，９ｂが架設されている。一対の桟材８ａ，８ｂは互いに平行に並ぶように、受枠３の一側部の受部３ｂと他側部の受部３ｂとの間に架設され、残りの一対の桟材９ａ，９ｂは前記一対の桟材８ａ，８ｂ間に平行に並んで架設されている。そして前記桟材８ａ，８ｂ，９ａ，９ｂとで囲まれる中央の升目が樹木１の幹が通る開口部１１となっている。
【００２１】
なお、各桟材８ａ，８ｂ，９ａ，９ｂは分解可能となっている。受枠３は樹木１が歩道の土壌に植栽される前にその土壌の上に設置され、その植栽後に各桟材８ａ，８ｂ，９ａ，９ｂが樹木１の幹を囲むように受枠３の内側に組み付けられる。
【００２２】
受枠３と桟材８ａ，８ｂとで囲まれた各区画、および受枠３と桟材８ａ，８ｂ，９ａ，９ｂとで囲まれた各区画はそれぞれ収容部１２ａ，１２ｂ，１２ｃ，１２ｄとなっており、これら収容部１２ａ，１２ｂ，１２ｃ，１２ｄに図１および図４に示すように複数種の蓋ユニット１４ａ，１４ｂ，１４ｃが平面的に並ぶように収容されている。
【００２３】
図５および図６には第１の蓋ユニット１４ａの構造例を示してあり、この第１の蓋ユニット１４ａは、複数の脚１６を有する基台１７の上に化粧タイルや化粧ブロックなどの舗装材１８を取り付けて成る。そして基台１７の周縁には、舗装材１８の周囲を囲むように目地材１９が取り付けられている。
【００２４】
なお、舗装材１８はモルタルを介して基台１７の上に固定されている。また、基台１７の上に設ける舗装材１８は、面積の比較的大きい単一のものであっても、複数の舗装材を敷き並べる形態の場合であってもよい。
【００２５】
図７および図８には第２の蓋ユニット１４ｂの構造例を示してあり、この第２の蓋ユニット１４ｂにおいては、上面が開口する箱形状のケース２２を備え、このケース２２内に園芸土が収容され、この園芸土の表層部に芝や草花などの園芸植物２３が植え付けられている。そしてケース２２の側面には均等的に複数の水抜き孔２４が形成され、またケース２２の下面の一側部にライナー２５が取り付けられている。
【００２６】
図９および図１０には第３の蓋ユニット１４ｃの構造例を示してあり、この第３の蓋ユニット１４ｃにおいては、第１の蓋ユニット１４ａの場合と同様に、脚１６を有する基台１７の上に舗装材１８が取り付けられているが、この舗装材１８の中央部に円形の開口２８が形成されている。そして基台１７の中央部にライトアップ用の投光器２９が取り付けられ、この投光器２９の投光部２９ａが舗装材１８の前記開口２８内に挿入され、その投光面が舗装材１８の表面と面一と成るようにその表面側に露出している。なお、投光器２９には電源コード３０が接続され、またこの投光器２９の舗装材１８と面一の透光面は硬質ガラスなどで構成されている。
【００２７】
そしてこのような各種の蓋ユニット１４ａ，１４ｂ，１４ｃは、植栽された樹木１の周辺の環境を整える目的で、図１および図４に示すように、適宜受枠３の内側の各収容部１２ａ〜１２ｄに縦横に並ぶように収容される。
【００２８】
本実施形態においては、収容部１２ａ，１２ｂに、それぞれ第１の蓋ユニット１４ａと第２の蓋ユニット１４ｂとが交互に収容され、収容部１２ｃ，１２ｄにそれぞれ第３の蓋ユニット１４ｃが収容されている。
【００２９】
図１１には、収容部１２ａの端部に収容された第１の蓋ユニット１４ａの収容状態を示してあり、蓋ユニット１４ａの基台１７は受枠３の内側に挿入され、脚１６が受枠３の受部３ｂと桟材８ａの上とにそれぞれゴムクッション３２を介して突き当てられ、これにより舗装材１８の上面が受枠３の上端縁と面一と成るように水平に支持されている。
【００３０】
受枠３と蓋ユニット１４ａの目地材１９との間には僅かな隙間が確保され、この隙間を通して降雨時における雨水が蓋ユニット１４ａの下方側に流れ込んで歩道の土壌中に浸透する。なお、受枠３の外側には、歩道面と成る舗装材３３が敷き込められ、また受枠３の内側の樹木１が通る開口部１１内には玉砂利３４が敷き詰められている。受枠３の内側の他の部分に収容された第１の蓋ユニット１４ａも同様の構造で受枠３の受部３ｂと桟材８ｂの上に支持されている。
【００３１】
図１２には、収容部１２ａの中間部に収容された第２の蓋ユニット１４ｂの収容状態を示してあり、蓋ユニット１４ｂのケース２２は受枠３の内側に挿入され、このケース２２の下面の一側部はライナー２５およびゴムクッション３２を介して受枠３の受部３ｂに突き当てられ、他側部は桟材８ａの上にゴムクッション３２を介して突き当てられ、これによりケース２２の上面が受枠３の上端縁と面一と成るように水平に支持されている。
【００３２】
降雨時の雨水は受枠３とケース２２との間の隙間を通して蓋ユニット１４ｂの下方側に流れ込んで歩道の土壌中に浸透する。また、ケース２２内の園芸土にも雨水が浸透する。そして園芸土に浸透した余剰の雨水は水抜き孔２４から流出し、歩道の土壌中に浸透する。なお、受枠３の内側の他の部分に収容された第２の蓋ユニット１４ｂも同様の構造で受枠３の受部３ｂと桟材８ｂの上に支持されている。
【００３３】
収容部１２ｃ，１２ｄに収容された第３の蓋ユニット１４ｃは、図示しないが第１の蓋ユニット１４ａの場合と同様に、基台１７が受枠３の内側に挿入され、脚１６が受枠３の受部３ｂと桟材９ａ，９ｂの上とにそれぞれゴムクッションを介して突き当てられ、これにより舗装材１８の上面が受枠３の上端縁と面一と成るように水平に支持されている。
【００３４】
この第３の蓋ユニット１４ｃは投光器２９を備えており、したがってその投光器２９の電源コード３０を受枠３の内側で引き回して所定の電源部に接続する必要がある。このため、受枠３の下端部に取り付けられたアンカー材４の側面および受枠３の内側に架設された桟材８ａ，８ｂ，９ａ，９ｂの側面には、図１１および図１２に示すようにその電源コード３０を通して引き回すための開口３６，３７が形成されている。
【００３５】
このように、各種の蓋ユニット１４ａ，１４ｂ，１４ｃを受枠３の内側に収容することにより、樹木１の幹の周辺の環境を美装歩道とマッチするように、また趣のある雰囲気に整えることができ、特に夜間に第３の蓋ユニット１４ｃの投光器２９を点灯することにより樹木１をライトアップしてより独特で幻想的な環境に整えることができる。
【００３６】
各蓋ユニット１４ａ，１４ｂ，１４ｃは受枠３の内側に脱着可能に収容されており、したがって各蓋ユニット１４ａ，１４ｂ，１４ｃを適宜交換してその配置の位置を変更することが可能である。
【００３７】
また、例えば樹木１の根元部分の上の全体を舗装材で美装したいような場合には、受枠３の内側の全体に、舗装材１８を備える第１の蓋ユニット１４ａを縦横に並べて収容することにより対応することができる。また、樹木１の根元部分の上の全体を園芸植物で花壇風に美装したいような場合には、受枠３の内側の全体に、園芸植物２３を備える第２の蓋ユニット１４ｂを縦横に並べて収容することにより対応することができる。さらにはイベントなどの開催により歩道の樹木１をより明るくライトアップしたいような場合には、受枠３の内側の全体に、投光器２９を備える第３の蓋ユニット１４ｃを縦横に並べて収容してその各投光器２９を点灯させることにより対応することができる。
【００３８】
このように、受枠３の内側には蓋ユニット１４ａ，１４ｂ，１４ｃのうちの一種あるいは複数種を収容して樹木１の周辺の環境を整えることができる。そして受枠３の内側に収容する蓋ユニット１４ａ，１４ｂ，１４ｃの組み合わせや配列のバリエーションを選ぶことにより樹木１の周辺環境を必要に応じた種々の環境に整えることができる。
【００３９】
ところで、舗装材１８を備える第１および第３の蓋ユニット１４ａ，１４ｃにあっては、その舗装材１８の表面に道路案内や地区案内などの標識を施すことも可能で、これにより歩行者に対する便宜を高めることができる。
【００４０】
受枠３の内側に収容する蓋ユニットとしては、上記の構造のものに限らず、例えば図１３および図１４に示すような第４の蓋ユニット１４ｄを用いることも可能である。この第４の蓋ユニット１４ｄは、第１の蓋ユニット１４ａの場合と同様に、基台１７の上に舗装材１８が取り付けられているが、この舗装材１８の周囲に目地材が露出しない形態となっている。そして、この第４の蓋ユニット１４ｄを他の蓋ユニット１４ａ，１４ｂ，１４ｃと適宜交換して受枠３の内側に収容することが可能となっている。
【００４１】
図１５および図１６にはさらに構造の異なる第５の蓋ユニット１４ｅの例を示してあり、この蓋ユニット１４ｅにおいては、収納ケース４０を備え、この収納ケース４０の上面の開口部に基板４１が取り付けられ、この基板４１の上に舗装材４２およびこの舗装材４２を囲む側板４３が取り付けられている。収納ケース４０は周縁にフランジ４５を有し、このフランジ４５の上に基板４１が取り付けられ、またこのフランジ４５の下面に均等的に複数の脚４６が取り付けられている。
【００４２】
基板４１の一部には開口４７が形成され、前記舗装材４２には前記開口４７に対応する部分に切欠部４９が形成され、この切欠部４９内に蓋体５０が脱着可能に設けられ、この蓋体５０により前記開口４７が閉塞されている。
【００４３】
蓋体５０は、蓋ケース５１内に前記舗装材４２と面一と成るようにその舗装材４２と同質の小型の舗装材４２ａを充填して成る。前記側板４３の内面には切欠部４９に対応する部分にブラケット５３が取り付けられ、前記蓋ケース５１にはそのブラケット５３の上に重なる折曲片５１ａが一体に形成され、この折曲片５１ａからブラケット５３に渡って複数の止めねじ５４が螺挿され、これら止めねじ５４により蓋体５０が切欠部４９内に固定されている。また、収納ケース４０の側面にはガイドパイプ５５が取り付けられている。
【００４４】
この蓋ユニット１４ｅは、図１５に示すように受枠３の内側の適宜な位置に収容して使用する。この蓋ユニット１４ｅの場合には、収納ケース４０内に予め例えば潅水用の散水器を収納しておく。そして、必要に応じて、蓋体５０の止めねじ５４を外し、蓋体５０を切欠部４９から取り外して開口４７を開き、収納ケース４０内の散水器の散水ホースをその開口４７を通して引き出し、樹木の周辺に散水する。
【００４５】
この場合、収納ケース４０内の散水器が備える配水管や電気配線は、収納ケース４０の側面のガイドパイプ５５を通して外部に導出するとともに、受枠３のアンカー材４の側面に形成されている開口３６を通して引き回し、所定の水源部や電源部に接続する。なお、収納ケース４０内には散水器に代えて、非常消火用の消火器などを収納することも可能である。
【００４６】
図１７には、受枠３の変形例を示してあり、この受枠３はその形状が前記の受枠よりも大型となっていて、その内側に複数の桟材８ａ，９ａ，１０ａが架設され、その桟材９ａ，１０ａとで囲まれる升目が樹木の幹が通る開口部１１となっている。そして、このような大型の受枠３の内側に前述の第１〜第５の蓋ユニット１４ａ〜１４ｅのうちから選択した蓋ユニット、あるいはその各蓋ユニットを収容して並べる。図１８には前記受枠３の内側に蓋ユニット１４ａ〜１４ｃを収容して並べた一例を示してある。  
また、この大型の受枠３の場合においては、受枠３の内側の横長の領域部分に必要に応じて例えば簡易形のベンチを組み付けるようなことも可能である。
【００４７】
さらに、前記各収容部１２ａ〜１２ｄの幾つかは、樹木保護装置の設置場所の維持管理に必要な各種設備機器、すなわち衛生設備（潅水設備、散水設備）、電気設備（電気用ハンドホール桝、電源コンセント類）、その他の資材等を集約して収容する基地スペースとして利用することも可能である。
【００４８】
図１９には、変形例としての蓋ユニット１４を示してあり、この蓋ユニット１４においては脚１６を有する基台１７の上に複数の蓋体６０を設けて成り、その複数の蓋体６０は基台１７の上面のほぼ全体を覆うように配置されている。そして基台１７には蓋体６０に対応する位置に開口６１が形成されている。蓋体６０は、蓋ケース６３内に例えば舗装材６４を充填し、モルタルで固定して成る。
【００４９】
蓋ケース６３の一側縁はヒンジ機構６６を介して基台１７に連結されている。ヒンジ機構６６は、図２０に示すように、基台１７に取り付けられた逆Ｕ字状の支持部材６７と、蓋ケース６３に取り付けられたＵ字状の係合部材６８とで構成されている。支持部材６７の水平軸部６７ａの下面には突起６９が取り付けられ、また係合部材６８の上下の中間部には水平軸７０が取り付けられている。
【００５０】
蓋体６０が基台１７の上に水平に配置されているときには、蓋ケース６３の縁部のフランジ部６３ａが支持部材６７の水平軸部６７ａの上に乗り、係合部材６８が支持部材６７と平行に並んで下方に垂直に延びる状態にある。この状態からヒンジ機構６６の反対側において蓋体６０を上方に引き上げると、図２１に示すように蓋体６０が支持部材６７の水平軸部６７ａとの接触部を支点にして上方に回動し、この回動で基台１７の開口６１が開放される。そして蓋体６０が回動したときには、係合部材６８の水平軸７０が突起６９の外側から内側に移動し、この移動で蓋体６０と支持部材６７との離脱が防止される。蓋体６０を反対方向に回動すれば基台１７の開口６１を閉じることができる。
【００５１】
蓋体６０にはヒンジ機構６６の反端側の端部においてはねじ軸７２が取り付けられている。７３はＴ字状のハンドルで、このハンドル７３の端部に前記ねじ軸７２のねじ孔７２ａにねじ込みが可能なねじ部７３ａが設けられている。
【００５２】
蓋体６０を開閉するときには、前記ねじ軸７２のねじ孔７２にハンドル７３のねじ部７３ａをねじ込んでハンドル７３を蓋体６０に取り付ける。そしてこのハンドル７３を握って蓋体６０を開閉する。これにより蓋体６０の開閉作業を容易に能率よく行なうことができる。なお、蓋体６０の開閉操作後にはねじ軸７２からハンドル７３を取り外す。そして、ねじ軸７２のねじ孔７２ａにキャップねじ７４をねじ込んでそのねじ孔７２ａを閉じる。
【００５３】
この変形例としての蓋ユニット１４は、受枠３の内側の適宜な例えば収容部１２ａに収容する。そしてこの場合、蓋ユニット１４の下方部に散水栓や上水・潅水用のバルブを配設し、その散水栓やバルブにホースをつなぐとき、あるいは点検をするときなどに、蓋ユニット１４の蓋体６０を開いてその作業を行なう。
【００５４】
なお、前記蓋体６０の蓋ケース６３内には舗装材６４を充填する場合のほか、園芸土を収容して芝や草花などの園芸植物を植え込むような場合であってもよい。
【００５５】
また、この発明の樹木保護装置は、歩道に植栽される樹木に対して設ける場合に限らず、例えば公園内の敷地に植栽される樹木やビルの周辺の敷地に植栽される樹木などを対象として設置するような場合であってもよい。
【図面の簡単な説明】
【００５６】
【図１】この発明の一実施形態に係る樹木保護装置の設置状態を示す断面図。
【図２】樹木保護装置の受枠を示す平面図。
【図３】図２中のＡ−Ａ線に沿う断面図。
【図４】受枠の内側に蓋ユニットを収容して並べた状態を示す平面図。
【図５】受枠の内側に収容する第１の蓋ユニットの構造を示す断面図。
【図６】第１の蓋ユニットの平面図。
【図７】受枠の内側に収容する第２の蓋ユニットの構造を示す断面図。
【図８】第２の蓋ユニットの平面図。
【図９】受枠の内側に収容する第３の蓋ユニットの構造を示す断面図。
【図１０】第３の蓋ユニットの平面図。
【図１１】受枠に対する第１の蓋ユニットの収容状態を示す断面図。
【図１２】受枠に対する第２の蓋ユニットの収容状態を示す断面図。
【図１３】受枠の内側に収容する第４の蓋ユニットの構造を示す断面図。
【図１４】第４の蓋ユニットの平面図。
【図１５】受枠の内側に収容する第５の蓋ユニットの構造を示す断面図。
【図１６】第５の蓋ユニットの平面図。
【図１７】受枠の変形例を示す平面図。
【図１８】変形例の受枠の内側に蓋ユニットを収容して並べた状態を示す平面図。
【図１９】蓋ユニットの変形例を示す断面図。
【図２０】変形例の蓋ユニットのヒンジ機構を示す正面図。
【図２１】変形例の蓋ユニットの蓋体を開いた状態を示す断面図。
【符号の説明】
【００５７】
１…樹木
２…保護装置
３…受枠
３ａ…周壁部
３ｂ…受部
８ａ．８ｂ…桟材
９ａ．９ｂ…桟材
１２ａ〜１２ｄ…収容部
１４ａ〜１４ｅ…第１〜第５の蓋ユニット
１６…脚
１７…基台
１８…舗装材
１９…目地材
２２…ケース
２３…園芸植物
２８…開口
２９…投光器
２９ａ…投光部
３０…電源コード
３３…舗装材
３４…玉砂利
３６．３７…開口
４０…収納ケース
４１…基板
４２…舗装材
４２ａ…舗装材
４３…側板
４６…脚
４７…開口
４９…切欠部
５０…蓋体
５１…蓋ケース
【図１】
2008035810.tif 000003
【図２】
2008035810.tif 000004
【図３】
2008035810.tif 000005
【図４】
2008035810.tif 000006
【図５】
2008035810.tif 000007
【図６】
2008035810.tif 000008
【図７】
2008035810.tif 000009
【図８】
2008035810.tif 000010
【図９】
2008035810.tif 000011
【図１０】
2008035810.tif 000012
【図１１】
2008035810.tif 000013
【図１２】
2008035810.tif 000014
【図１３】
2008035810.tif 000015
【図１４】
2008035810.tif 000016
【図１５】
2008035810.tif 000017
【図１６】
2008035810.tif 000018
【図１７】
2008035810.tif 000019
【図１８】
2008035810.tif 000020
【図１９】
2008035810.tif 000021
【図２０】
2008035810.tif 000022
【図２１】
2008035810.tif 000023